(57)【要約】  長さ部分を有するカートリッジ（１５）を備える湿式剃毛用かみそり（５）であって、カートリッジが、上側フレームであって、刃フレーム（１）と、その刃フレームに結合され、カートリッジに沿って長手方向に延びる剃毛刃（３）と、その刃を囲む上面（２）と、１つ以上の直列配置された背面バネ構成要素（１４）であって、それぞれの構成要素が基端及び先端を有し、前記基端（１６）が上面の頂端（３０）に隣接して結合され、先端（１７）が留め板（１８）に結合される背面バネ構成要素（１４）と、を備える上側フレーム（６）と、サブフレーム（７）であって、上側フレームがその底縁にて弾性的にサブフレームの前縁（３５）付近に装着され、前面バネ構成要素（１２）を更に備えるサブフレームと、背面バネ構成要素をサブフレームの背面縁（３６）に折りたたみ自在に係合させ、背面バネ構成要素を取り外し可能に固定する留め板を備え、前面バネ構成要素及び背面バネ構成要素が、剃毛中に加わる剃毛力の下で起こるカートリッジの局所的変形に抗する、湿式剃毛用かみそり。
2011500195.tif 000002
【特許請求の範囲】
【請求項１】
長さ部分を有するカートリッジを備える湿式剃毛用かみそりであって、前記カートリッジが、
ａ）上側フレームであって、
１）刃フレームと、
２）前記刃フレームに結合され、前記カートリッジに沿って長手方向に延びる剃毛刃と、
３）前記刃フレームを囲む上面と、
４）１つ以上の直列配置された背面バネ構成要素であって、それぞれの構成要素が基端及び先端を有し、前記基端が前記上面の頂端に隣接して結合され、前記先端が留め板に結合される背面バネ構成要素と、
を備える上側フレームと、
ｂ）サブフレームであって、前記上側フレームがその底縁にて弾性的に前記サブフレームの前縁付近に装着され、前面バネ構成要素を更に備えるサブフレームと、
とを備え、前記カートリッジは更に、
ｃ）前記背面バネ構成要素を前記サブフレームの背面縁に折りたたみ自在に係合させ、前記背面バネ構成要素を取り外し可能に固定する留め板を備え、
前記前面バネ構成要素及び前記背面バネ構成要素が、剃毛中に加わる剃毛力の下で起こる前記カートリッジの局所的変形に抗することを特徴とする、湿式剃毛用かみそり。
【請求項２】
前記剃毛刃が少なくとも１つの横方向接続片により補強されている、請求項１に記載の湿式剃毛用かみそり。
【請求項３】
前記先端が係合端を更に含む、請求項１に記載の湿式剃毛用かみそり。
【請求項４】
前記係合端が、前記留め板の把持凸部と係合する、請求項３に記載の湿式剃毛用かみそり。
【請求項５】
前記背面バネ構成要素が、前記前面バネ構成要素の奥行きより概ね小さい奥行きを有する、請求項１に記載の湿式剃毛用かみそり。
【請求項６】
前記背面バネ構成要素が、前記前面バネ構成要素の幅より概ね小さい幅を有する、請求項１に記載の湿式剃毛用かみそり。
【請求項７】
前記背面バネ構成要素が、前記上面の前記頂端にヒンジ結合されている、請求項１に記載の湿式剃毛用かみそり。
【請求項８】
前記上側フレーム及び前記サブフレームが一体的に成型されている、請求項１に記載の湿式剃毛用かみそり。
【請求項９】
前記留め板が、前記背面バネ構成要素と一体的に成型されている、請求項１に記載の湿式剃毛用かみそり。
【請求項１０】
前記留め板が、前記上側フレームとは異なる材料から形成されている、請求項１に記載の湿式剃毛用かみそり。
【請求項１１】
前記カートリッジが、前記サブフレームが装着される基部を更に含む、請求項１に記載の湿式剃毛用かみそり。
【請求項１２】
前記剃毛刃が少なくとも３枚である、請求項１に記載の湿式剃毛用かみそり。
【請求項１３】
前記上面が、当該上面の長さ部分の少なくとも一部に及ぶ剃毛補助片を更に含む、請求項１に記載の湿式剃毛用剃刀。
【請求項１４】
前記剃毛補助片が、前記上面の長さ部分に沿って間隔をあけて配置される複数の部分を備える、請求項１３に記載の湿式剃毛用かみそり。
【請求項１５】
前記上側フレームが、位置決め孔を備える、請求項１に記載の湿式剃毛用かみそり。
【発明の詳細な説明】
【技術分野】
【０００１】
本発明は、カートリッジの背面バネ要素がカートリッジの残りの部分と折りたたみ自在に係合する、形状適合的なカートリッジを備える、湿式剃毛用に使用するのに適したかみそりに関する。
【背景技術】
【０００２】
本発明は、カートリッジとこれに隣接するハンドルを備える湿式剃毛用かみそりに関し、ハンドルを用いて剃毛される皮膚の表面を横切るように動かされる、刃先のついた剃毛刃を備える。カートリッジは、刃が充分に鋭利でなくなったときにカートリッジを新しいものに交換することができるように、かみそりハンドルに着脱可能に装着されていてもよく、又は、刃が鈍くなったときかみそり全体を廃棄するように、ハンドルに固着されていてもよい。着脱可能及び交換可能なカートリッジは一般に、シェービングカートリッジと呼ばれる。
【０００３】
剃毛中に皮膚表面と接する部分の形状適合性を維持する目的で、剃毛中にカートリッジが可動となるようにカートリッジをハンドル上に装着するための様々な提案がなされている。例えば、現在市場に出ているかみそりの多くは、カートリッジ内に組み込まれる細長刃の刃先に平行に延びる長手方向軸周りにカートリッジが回動可能となっている。これに加え、出願人は米国特許第７０２４７７６Ｂ２号及び同第７１３１２０３Ｂ２号に開示するように、形状適合的なかみそりカートリッジを消費者に提供するという有用性を実現している。これら２つの特許に開示される形状適合的なかみそりカートリッジは、射出成型の後に、刃ユニットの刃支持体上の金属製固定部を、エラストマー製カートリッジの孔に押し通すことで刃ユニットを装着していた。しかしこの構成では、鋭利でない伸長装置により刃ユニットを受ける孔を開いた状態に保持しない限り、刃ユニットの薄い金属片がナイフ刃に似た働きをして、カートリッジを形成するゴムやエラストマー材料を切り込んでしまうことがよくあり、そもそもこの方法では、刃ユニットを挿入するために孔を伸長させておく必要があった。この動作を行なうため、特許権者は、比較的伸び性能が高いエラストマー材料又はゴムを使用するのが理想的であることを確認した。このような伸び、及び／又は延伸性の高い材料は通常、引き裂き抵抗も高いが、比較的高価であるのが普通である。また、先に開示されたこの形状適合的かみそりで利点とは言い難いのは、刃ユニットを挿入するための上述の固定部及び孔が、消費者の剃毛経験の快適性を損なうことがしばしばあるという点である。
【先行技術文献】
【特許文献】
【０００４】
【特許文献１】米国特許第７０２４７７６Ｂ２号
【特許文献２】米国特許第７１３１２０３Ｂ２号
【発明の概要】
【発明が解決しようとする課題】
【０００５】
これまでのこうした経過及びその他に基づき、製造中だけでなく剃毛中にも経験されるこれらの難点を克服する、形状適合的なかみそり製品が依然として必要とされている。
【課題を解決するための手段】
【０００６】
本発明は、長さ部分を有するカートリッジを備える湿式剃毛用かみそりに関し、カートリッジが、
ａ）上側フレームであって、
１）刃フレームと、
２）刃フレームに結合され、カートリッジに沿って長手方向に延びる剃毛刃と、
３）刃フレームを囲む上面と、
４）１つ以上の直列配置された背面バネ構成要素であって、それぞれの構成要素が基端及び先端を有し、基端が上面の頂端に隣接して結合され、先端が留め板に結合される背面バネ構成要素と、背面バネ要素と、を備える上側フレームと、
ｂ）サブフレームであって、上側フレームがその底縁にて弾性的にサブフレームの前縁付近に装着され、前面バネ構成要素を更に備えるサブフレームと、
ｃ）背面バネ構成要素をサブフレームの背面縁に折りたたみ自在に係合させ、背面バネ構成要素を取り外し可能に固定する留め板を備え、
前面バネ構成要素及び前記背面バネ構成要素が、剃毛中に加わる剃毛力の下で起こるカートリッジの局所的変形に抗する。
【０００７】
ある実施形態においては、数個の背面バネ要素が上面の頂端に沿って分配され、各背面バネ要素が、変形度にかかわらず実質的に一定の復元力を加えるように変形可能である。
【０００８】
かかる実施形態においては、カートリッジは剃毛力の下でカートリッジの長さ部分に沿って多様に変形することができ、カートリッジが皮膚に加える力がカートリッジに沿って実質的に一様となるので、カートリッジに沿った皮膚の凹凸にカートリッジが適合することができる。その結果、カートリッジが、ある狭い領域で他より大きな力で皮膚に押しつけられることによる不快さを招くことなく、カートリッジを皮膚輪郭にぴったり適合させることができる。このようにカートリッジが簡単に適合できるのは、弾性可撓性材料シートを含む背面バネ要素によるものと言える。
【０００９】
一実施形態においてカートリッジは、剃毛刃を支持する上側フレーム、及びサブフレームを備え、背面バネ要素が上側フレームとサブフレームとの間に介在されている。カートリッジはゴム又はゴム状材料などの弾性可撓性材料を一体成型して形成され、次いで背面バネ要素が上側フレーム（特にその上面）と一体化され、留め板を介してサブフレームの背面端に結合されると都合が良い。カートリッジが一体成型品として形成されると、部品の組み立てが最小限ですみ、カートリッジの製造が容易となる。上側フレームは好ましくは、カートリッジの前側でサブフレームにヒンジ結合されているとよく、成型後の形状では、これらの接続をリビングヒンジ（living hinge）により行なうと都合が良い。上側フレームとサブフレームとの間のヒンジ接続は、上側フレームの前側部分に力をかけると下方に、概ねハンドルに向けて、変位可能である。前部バネ要素もまた、曲げによって変形する弾性可撓性材料シートにより形成することができ、実質的に一定の反力がサブフレームにかかるが、サブフレームはその下の基部に対して、この前部バネ要素の作用に抗してサブフレームが基部に向かって動くことができるように支持することができる。
【００１０】
上側フレームの一部が、剃毛の１ストローク中に剃毛刃より先に皮膚に接触するガード、及び、刃の後で皮膚に接触するキャップを形成してもよい。あるいは、別個のガード要素及び／又は別個のキャップ要素が上側フレームに装着されていてもよいが、かかる別個の要素は長さ部分に沿った実質的可撓性を有するか、又は、短い断片に分離して、上側フレームが皮膚輪郭に適合するために撓むのを妨げないようにする必要がある。ガード表面又はキャップ表面に装着又は組み込むのに好適な要素の一種としては、潤滑片がある。
【００１１】
本発明のカートリッジは１枚の剃毛刃を有することができるが、複数の刃、例えば、２枚、３枚、４枚、５枚、６枚、７枚、８枚、又はこれより多い数の刃を含むことができ、これらをカートリッジに沿って連続的に、鋭利な刃先が実質的に平行となるよう配することができる。これらの刃は、皮膚輪郭に適合するよう可撓性を有する。あるいは、数枚の刃片を、上側フレームが撓むのに合わせ互いに対して動くことができるようにしてカートリッジに沿って配置することも可能である。カートリッジの組み立てを容易にするため、刃は刃の下面に付着された横方向帯片により互いに接続してもよい。これらの帯片及び刃は共に柔軟な刃アセンブリを形成し、変形していない状態では、刃及び帯片が実質的に同一平面をなし、刃フレームの可撓性を高めるようにする。あるいは、刃を、鋭利な刃先が刃フレームの面から前方に向け曲げられ、刃の、毛に対する接近角度を非同一平面とするような、刃支持体上に固着してもよい。
【００１２】
本発明による１つ以上の実施形態の詳細を、添付の図面及び以下の説明に示す。本発明の他の特徴、目的及び利点は、説明、図面及び特許請求の範囲から明らかとなろう。
【図面の簡単な説明】
【００１３】
【図１】本発明による形状適合的カートリッジを装備した湿式剃毛用かみそりの前方斜視図。
【図２】図１のかみそりの背面斜視図。
【図３】複数の背面バネ要素をサブフレームに最終的に係合させる前の、本発明のカートリッジの正面図。
【図４】図３のカートリッジの右端面図。
【発明を実施するための形態】
【００１４】
図１及び２の湿式剃毛用かみそり５は、形状適合的カートリッジ１５がその上に装着されるハンドル１０を有する。図示のように、ハンドル１０には、カートリッジ１５を固定することができる基部８が結合されているが、カートリッジ１５は、交換することができるように、ハンドル１０に離脱可能に接続されていてもよい。カートリッジ１５は上側フレーム６及びカートリッジ１５の前端に結合されたサブフレーム７を備える。上側フレーム６は、剃毛刃３を含む刃フレーム１を備え、刃フレーム１は挿入時にクリップ挟持、又はインサート成型により組み込むことができるが、後者の方が都合がよい。図示した実施形態では、カートリッジ１５は、ゴム又は、ＢＡＳＦ社製エラストラン（Elastollan）（登録商標）Ｃ６０Ａ１０Ｗを含む、適切な特性を有する材料と類似の弾性可撓性能を有する材料の、一体成型体からなる。
【００１５】
カートリッジ１５は、（剃毛刃３を含む）刃フレーム１を囲う上面２（頂端３０及び底端３１を有し、底端はカートリッジの前端３５に実質的に対応し一致する）と、複数の長方形ビームがリビングヒンジ（living hinge）により結合された形のサブフレーム７と、基部８とを有する上側フレーム６を備える。上側フレーム６は上面２の底端にて、サブフレーム７の前端３５にヒンジ結合されている。具体的には、上側フレーム６及びサブフレーム７は一体で、これらの前端にてリビングヒンジ（living hinge）９により接続されている。上側フレーム６及びサブフレーム７はそれぞれ第１平面及び第２平面上にあり、通常は互いに対して、ヒンジ９から後方に向かうにつれて互いから離れるように位置している。サブフレーム７及び基部８はカートリッジ後部でヒンジ結合され、特に、サブフレーム７及び基部８は、サブフレーム７の背面端（又は後端）３６にてリビングヒンジ（living hinge）１１により一体的に結合されている。サブフレーム７及び基部８は通常、ヒンジ１１から前方方向に向かうにつれ、互いから離れるように配置されている。この構成では、上側フレーム６、サブフレーム７、及び基部８は、右端図（図４）で分かるように、Ｚ形を画定しているが、上側フレーム６とサブフレーム７との間の角度αがサブフレーム７と基部８との間で定められる角度βより大きく、上側フレーム６が通常はハンドル１０に対して適切な角度に設定され、これにより以下で説明するカートリッジ１５の所望の変形特性が確実に得られる。
【００１６】
サブフレーム７は、カートリッジ１５の上面の背面長さ部分に沿って直列に配列された１つ以上の（図１及び２に示す例の場合は複数の）背面バネ要素１４により、基部８に対して支持されている。これらの背面バネ要素１４は上側フレームと一体の弾性可撓性ウェブにより形成されている。各背面バネ要素１４は、基端１６及び先端１７を有し、基端１６が上面の頂端３０に隣接して結合され、先端１７は図３に示すように留め板１８に結合されている。各背面バネ要素１４の先端１７は、留め板１８の長さ部分に沿って間隔をあけて配置される、嵌合先である把持凸部３９に先端１７を結合する際に有用である、係合端３８を備えてもよい。背面バネ要素１４の先端１７は、留め板１８に結合され、留め板１８は、これを（成型製造後の自然に上向きの位置から）下方の、サブフレーム７の背面端３６に向けて押すことにより、折りたたむようにしてサブフレーム７の背面端３６と係合される。具体的には、サブフレーム７の背面長さ部分に沿って間隔をあけて配置される係合溝１９が設けられ、先端１７及び受け板１８をこれに嵌め込むことで、成型カートリッジを使用可能なカートリッジへ変容させるようにすることができる。受け板１８については、上側フレーム６と一体的に形成されても、されなくてもよい。一体的に形成されない場合は、受け板１８を上側フレーム６と同じ材料、又は、上側フレーム材料と同様若しくは異なる物性を有する異なる材料から形成するのも好適である。例えば、異なる材料の場合、バネ要素のゴム又は弾性材料より硬いものとすることができる。好適な材料は、ノリル（Noryl）（登録商標）ＰＸ５５１１及びＡＢＳサイコラック（Cycolac）（登録商標）（いずれもサウジ基礎産業公社（ニューヨーク、セルカーク）より取得）、デュポン社製デルリン（Delrin）（登録商標）、ポリスチレンなどを含むが、これらに限定されない。
【００１７】
背面バネ要素１４は、カートリッジ１５の長さ部分に直交するそれぞれの平面内にある。背面バネ要素１４は曲げによっても変形するが、サブフレーム７と基部８との間で独立したバネ型部材として作用し、サブフレーム７が基部８に向かって局所的に変位するのを可能にしながら、かかる変位に抗する実質的に一定の復元力を与える。上側フレーム６及びサブフレーム７は、上側フレーム６及びこの中に組み込まれた刃３の局所部分が、皮膚の輪郭に適合するためにかみそりハンドル１０に向けて偏向することができるような、弾性可撓性を有する。皮膚の輪郭に適合する際に、上側フレーム６及び刃３は、これらが移動していく皮膚領域の凹凸に従うよう歪曲することができる。したがって、カートリッジ１５は、刃が全領域に及んで確実に皮膚と密着するような弾性可撓性を有する。
【００１８】
図１〜４に示す実施形態では、可撓性ウェブを備える数個の前面バネ要素１２が、カートリッジ１５の上面の前側の長さ部分に沿って分配される。前面バネ要素１２はサブフレーム７と基部８との間に延び、カートリッジ１５の上面と一体的に形成されている。図示する実施形態では、前面バネ要素１２はカートリッジの長さ部分に沿って等間隔に配置されている。前面バネ要素１２は通常、上側フレーム６及びサブフレーム７の面に直交する、それぞれの平行面上にある。ある実施形態においては、背面バネ要素１４は前面バネ要素の奥行き及び／又は幅より小さな奥行き及び／又は幅を有する。
【００１９】
図１及び２の実施形態においては、剃毛刃３が複数、設けられている。つまり、より良い剃毛経験を提供するため、多数の刃が互いに平行に位置している。本発明の幾つかの場合においては、カートリッジは少なくとも３枚の刃、少なくとも４枚の刃、少なくとも５枚の刃、少なくとも７枚の刃、又は少なくとも８枚の刃を有することができる。カートリッジの全体寸法が剃毛を行なう消費者にとって許容範囲内及び有用である限り、本発明のカートリッジにさらに多数の刃を組み込んでもよいことは明白なはずである。そのため、刃と刃の間隔は、約０．２５ｍｍ、０．５ｍｍ、０．６ｍｍ、０．７ｍｍから約１．５ｍｍ、０．８５ｍｍの範囲、又は０．８ｍｍとすることができる。本実施形態ではこの間隔は０．７５ｍｍである。
【００２０】
剃毛刃３は、約０．０１ｍｍ、０．０２ｍｍ、０．０３ｍｍ、０．０４ｍｍ、０．０５ｍｍ、０．０６ｍｍ、０．０６５ｍｍから約０．０８ｍｍ、０．０７５ｍｍの範囲、又は０．０７ｍｍの厚さを有する。本実施形態では、この厚さは約０．６６ｍｍである。
【００２１】
剃毛刃３はまた、約０．２ｍｍ、０．３ｍｍ、０．３５ｍｍから約０．６ｍｍ、０．５ｍｍ、及び０．４５ｍｍの範囲の幅を有する。本実施形態では、この幅は約０．４ｍｍである。
【００２２】
図１及び２に示す実施形態においては、上側フレーム６は更に、ガード部材２２及び剃毛刃３（ここでは多数の刃３）を備え、ガード部材２２及び刃３は柔軟な金属片から形成されている。上側フレーム６に複数の刃が含まれる場合は、これらの刃は平行で前向きの鋭利な刃先を有する。ガード部材２２及び刃３は、従来のカートリッジにおける刃の製造に用いられる横方向接続片２４により互いに接続され補強されており、横方向接続片は例えばスチールなど、刃３と同じ材料とすることができ、刃（及び刃支持体１３のある場合は任意の刃支持体）及びガード部材２２の下面に接着されている。刃アセンブリ及びカートリッジが通常の変形していない状態で、刃３及び横方向接続片２４が同一平面上にあるようにすると、カートリッジは最も高い可撓性を発揮する。ある実施形態においては、剃毛刃は刃支持体１３に装着され、刃支持体１３は刃フレーム１に結合され、これが上側フレーム６に一体化される。剃毛刃３及び／又は支持体１３は、刃フレーム１の面から上に折って、最適な剃毛角度を得るようにしてもよい。剃毛角度は、約０〜約３５度、約５〜約３０度、約１０〜約３０度、約２０〜約３０度、約２２〜約２６度の範囲、又は約２４度とすることができる。剃毛アセンブリ内のその他の刃構成手段は、米国特許第６８０４８８６Ｂ２号に開示されている。
【００２３】
本発明のある実施形態において、出願人は、剃毛刃の周囲にエラストマー及び／又はゴム材料を成型（例えばインサート成型）することにより、カートリッジが破損したり、剃毛カートリッジの使い勝手を悪化させる結果を引き起こす可能性のある、上側フレーム及び／又はサブフレームの伸びという弊害なしに、刃を挿入することができることを見出した。剃毛刃の非剃毛部分は全て、ゴム及び／又はエラストマー材料で覆われており、快適性を高めている。剃毛時にかかる力は固定点に集中するのではなく、これよりずっと長いスチール片に沿って分散されるため、刃が引き抜かれる可能性は低い。
【００２４】
また、出願人は、上側フレーム及びサブフレームを最終的に形成する混合樹脂に可塑剤を加えることで、製造中のカートリッジの型からの突き出しが容易となることを確認した。ある実施形態においては、上側フレーム及びサブフレームは、約０．１％〜約２５％、約１％〜約２０％、約５％〜約２０％、約１０％〜約２０％、又は約１５％の可塑剤を含む。通常、エラストマー材料の場合は製造中、型からの突き出しが困難である。例えば、本発明のカートリッジのように、突き出し方向に長く、突き出し方向に交差する方向が短いエラストマー成型体は特に、型からの突き出しが難しい。本発明では、米国特許第７０２４７７６Ｂ２号及び同第７１３１２０３Ｂ２号に開示の形状適合的かみそりカートリッジの以前のものに比して、前面バネ要素及び背面バネ要素が短いか、又は奥行きが小さい。一実施形態においては、背面バネ要素は概ね前面バネ要素の奥行きより小さな奥行きを有する。別の実施形態においては、背面バネ要素は概ね前面バネ要素の幅より小さな幅を有する。
【００２５】
図示の実施形態においては、上側フレーム６がその一面又は両面に位置決め孔３３を備えている。位置決め孔３３は、０．５ｍｍ〜約４ｍｍ、１ｍｍ〜約３ｍｍの範囲、又は約２ｍｍの直径を有することができる。これらの孔は、刃を１つ以上の溶接治具及び型に位置決めするのに使用することができ、製造中に特に有用である。これらの孔はまた、安全貯蔵中に複数のカートリッジを整列させるのに用いることもできる。位置決め孔３３は、製造中には上側フレーム６から突出し、カートリッジの全体寸法を最小限とするため製造工程の終盤には切り取られるような、位置決め孔凸部（図示せず）を更に備えるように設計してもよい。さらにまた、図示した位置決め孔は円形であるが、かかる位置決め孔３３は、開口部を形成する様々な形状、例えば長方形、三角形、楕円形、正方形、波型、スリット、及びこれらを組み合わせた形でも設けることができることが想定される。
【００２６】
ガード部材２２はカートリッジ１５の長さ部分に及び、複数のリブ２３を備えることができ、このリブは協働して、刃が使用者の毛に係合する前に使用者の皮膚を伸ばすという利点を与える。
【００２７】
上側フレーム６にキャップ２５を設けると、湿式剃毛用かみそりの剃毛寸法形状（shaving geometry）の決定に役立つ場合がある。これは通常、カートリッジが複数の刃３を含む場合に当てはまる。参考までに、例えば米国特許第６２１２７７７号に開示のように、従来例から知られるように、剃毛寸法形状とは、キャップに最も近い最後端の刃先の「露出」寸法を含むと解される。後方刃の露出度はカートリッジ１５の実質的に固定された堅固な部分に対して決定される場合がある。本例においては、キャップ２５が上側フレームの一部であり、上側フレームは弾性可撓性材料からなるので、キャップ２５が前述の（露出）寸法を得るためにカートリッジの残りの部分に比して実質的に固定され又は堅固である必要はないと考えられる。カートリッジ１５のキャップ２５は、上側フレーム６の前端上又は背面端に隣接して置かれる剃毛補助部材２６を備えていてもよい。図１及び２に示すように、剃毛補助部材が設けられ刃３が複数あるときは、後方刃の露出度は、キャップ２５上又はその付近に配置される剃毛補助部材表面に対して決定することができる。
【００２８】
好適な剃毛補助部材２６は、潤滑片、表示片、ソープウィング（soapwings）、シェービングジェルバー、及びこれらの組み合わせの中から選択することができる。かかる剃毛補助部材は、米国特許第５９５６８４８号、同第５９９８４３１号、同第５９０６８３４号、同第６１８５８２２号、同第６２９８５５９号、同第６３０１７８５号、同第６４４２８３９号、同第６９４４９５２号、同第７０６９６５８号、及び、米国特許公開公報第２００６／０１４３９２５  Ａ１号、同第２００６／００８０８３８  Ａ１号、及び同第２００７／０１１０７０３  Ａ１号に開示されている。
【００２９】
本明細書に開示されている寸法及び値は、列挙した正確な数値に厳しく制限されるものとして理解すべきではない。それよりもむしろ、特に指定のない限り、こうした各寸法は、列挙した値とその値周辺の機能的に同等の範囲の両方を意味することを意図している。例えば、「４０ｍｍ」として開示された寸法は、「約４０ｍｍ」を意味することを意図する。
【００３０】
「発明を実施するための形態」で引用した全ての文献は、関連部分において本明細書に参考として組み込まれるが、いずれの文献の引用も、それが本発明に関して先行技術であることを容認するものとして解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００３１】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の特許請求の範囲で扱うものとする。
【図１】
2011500195.tif 000003
【図２】
2011500195.tif 000004
【図３】
2011500195.tif 000005
【図４】
2011500195.tif 000006
【国際調査報告】
2011500195.tif 000007
2011500195.tif 000008